(57)【要約】【課題】本発明は、通気性が得られて蒸れを抑制しつつ、着用感を低下させない吸収性物品を提供することを目的とする。【解決手段】本発明は、吸収性物品であって、貫通孔が形成された第１不織布と、前記第１不織布に重ねられた第２不織布と、を備え、貫通孔の外縁部が２不織布側に向かって突出しており、外縁部の少なくとも一部が第２不織布に接合されている。【選択図】図５
2020092896.tif 000002
【特許請求の範囲】
【請求項１】
貫通孔が形成された第１不織布と、
前記第１不織布に重ねられた第２不織布と、
を備え、
前記貫通孔の外縁部が前記第２不織布側に向かって突出しており、
前記外縁部の少なくとも一部が前記第２不織布に接合されている、
吸収性物品。
【請求項２】
前記第１不織布は、前記第２不織布よりも、着用状態における着用者の肌側に配置されている、
請求項１に記載の吸収性物品。
【請求項３】
前記貫通孔は、一方向に並んで複数形成されており、
前記第２不織布の前記第１不織布に対向する面側には、前記一方向に所定幅で延び、ホットメルトが塗布された接合領域が形成されており、
前記一方向に並ぶ複数の前記貫通孔と前記接合領域との位置が合うように前記第１不織布と前記第２不織布とは重ねられて、前記外縁部の少なくとも一部が前記接合領域に接合されている、
請求項１又は２に記載の吸収性物品。
【請求項４】
前記第１不織布と前記第２不織布とを有するシート部材を備え、
前記シート部材は、着用者の腹部を覆う前身頃領域又は着用者の背部を覆う後身頃領域の少なくとも何れかに配置されている、
請求項１から３の何れか一項に記載の吸収性物品。
【発明の詳細な説明】
【技術分野】
【０００１】
本発明は、吸収性物品に関する。
【背景技術】
【０００２】
使い捨ておむつ、吸収性パッド（尿パッド）、生理用品等の吸収性物品が知られている。吸収性物品は、パルプや高吸収性重合体（Ｓｕｐｅｒ  Ａｂｓｏｒｂｅｎｔ  Ｐｏｌｙｍｅｒ：ＳＡＰ）により形成され、尿や体液等の液体を吸収する吸収体を備えている。吸収性物品と着用者の肌との間には、吸収体に吸収された液体や着用者の汗等から生じる湿気が滞留しやすい。この湿気は、吸収性物品の着用者に蒸れ等の不快感を生じさせ、吸収性物品の着用感を低下させる原因となる。
【０００３】
特許文献１には、蒸れを防ぐための通気性を得るために穿孔針によって貫通孔が形成された不織布を備える吸収性物品が記載されている。
【先行技術文献】
【特許文献】
【０００４】
【特許文献１】特許第６４０２８１７号公報
【発明の概要】
【発明が解決しようとする課題】
【０００５】
穿孔針によって不織布に貫通孔を形成する場合、穿孔針を所定温度に加熱し、貫通孔を形成する際に不織布に含まれる熱可塑性樹脂材料を加熱変形させて貫通孔の形状を維持するための熱処理が施される。熱処理された貫通孔周囲の不織布は硬くなってしまい、この貫通孔周囲の繊維が着用者の肌等に触れると着用者に不快感が生じて吸収性物品の着用感が低下してしまう。
【０００６】
そこで、本発明は、通気性が得られて蒸れを抑制しつつ、着用感を低下させない吸収性物品を提供することを目的とする。
【課題を解決するための手段】
【０００７】
上記課題を解決するため、本発明では、第１不織布に形成された貫通孔の外縁部が第２不織布側に向かって突出しており、前記外縁部の少なくとも一部が前記第２不織布に接合されている。
【０００８】
詳細には、本発明は、吸収性物品であって、貫通孔が形成された第１不織布と、前記第１不織布に重ねられた第２不織布と、を備え、前記貫通孔の外縁部が前記第２不織布側に向かって突出しており、前記外縁部の少なくとも一部が前記第２不織布に接合されている。
【０００９】
上記の吸収性物品では、前記第１不織布は、前記第２不織布よりも、着用状態における着用者の肌側に配置されていてもよい。
【００１０】
上記の吸収性物品では、前記貫通孔は、一方向に並んで複数形成されており、前記第２不織布の前記第１不織布に対向する面側には、前記一方向に所定幅で延び、ホットメルトが塗布された接合領域が形成されており、前記一方向に並ぶ複数の前記貫通孔と前記接合領域との位置が合うように前記第１不織布と前記第２不織布とは重ねられて、前記外縁部の少なくとも一部が前記接合領域に接合されていてもよい。
【００１１】
上記の吸収性物品は、前記第１不織布と前記第２不織布とを有するシート部材を備え、前記シート部材は、着用者の腹部を覆う前身頃領域又は着用者の背部を覆う後身頃領域の少なくとも何れかに配置されていてもよい。
【発明の効果】
【００１２】
上記の本発明によれば、通気性が得られて蒸れを抑制しつつ、着用感は低下しない。
【図面の簡単な説明】
【００１３】
【図１】図１は、実施形態に係るパンツ型使い捨ておむつの斜視図である。
【図２】図２は、実施形態に係るおむつの分解斜視図である。
【図３】図３は、実施形態に係るおむつを展開し、伸長した状態を模式的に示した図である。
【図４】図４は、糸ゴム同士の間隔とウェストギャザーに現れる通気路との関係を示した図である。
【図５】図５は、実施形態に係るおむつに用いられる不織布の断面図である。
【発明を実施するための形態】
【００１４】
以下、本発明の実施形態について説明する。以下に示す実施形態は、本発明の実施形態の一例であり、本発明の技術的範囲を以下の態様に限定するものではない。
【００１５】
＜実施形態＞
図１は、実施形態に係るパンツ型使い捨ておむつ（以下、単に「おむつ」という）の斜視図である。本願で用いる方向に関する用語は、おむつ１が着用者に着用された状態において該着用者の前後左右に一致する方向を意味するものとする。例えば、本願で左右方向という場合、おむつ１の着用者に着用された状態において該着用者の左右に一致する方向を意味する。
【００１６】
本実施形態では、吸収性物品の一例として、着用者の腹囲が入る開口部と、着用者の左下肢及び右下肢が挿通される左右一対の開口部とを有する筒状構造のパンツ型使い捨ておむつを例示するが、本願でいう「吸収性物品」は、パンツ型使い捨ておむつに限定されるものでない。本願でいう「吸収性物品」には、例えば、着用者の股下（陰部）を前身頃から後身頃にかけて覆うシート状の部材の一端部付近に固定されたテープを、該シート状の部材の他端部付近に貼り付けることで筒状構造を形成するテープ型使い捨ておむつ等、腹囲と股下を包み得る各種形態の吸収性物品が含まれる。
【００１７】
おむつ１は、着用状態において着用者の陰部（股下）を覆う股下領域に対応する部位である股下領域１Ｂと、着用者の胴周りにおける前身頃に対応する部位であって着用者の腹部側を覆うための前身頃領域１Ｆと、着用者の胴周りにおける後身頃に対応する部位であって着用者の背部側を覆うための後身頃領域１Ｒとを有する。ここで、前身頃領域１Ｆは股下領域１Ｂの前側に位置し、後身頃領域１Ｒは股下領域１Ｂの後側に位置する。本実施形態におけるおむつ１は、パンツ型の使い捨ておむつであるため、前身頃領域１Ｆの左側の縁と後身頃領域１Ｒの左側の縁は互いに接合され、前身頃領域１Ｆの右側の縁と後身頃領域１Ｒの右側の縁は互いに接合されている。よって、おむつ１には、前身頃領域１Ｆの上側の縁と後身頃領域１Ｒの上側の縁とによって胴開口部２Ｔが形成されている。また、おむつ１には、上記接合が施されない股下領域１Ｂの左側の部位に左下肢開口部２Ｌが形成され、股下領域１Ｂの右側の部位に右下肢開口部２Ｒが形成されている。そして、おむつ１は、着用者の左下肢が左下肢開口部２Ｌに挿通され、着用者の右下肢が右下肢開口部２Ｒに挿通され、着用者の胴部が胴開口部２Ｔに入るように装着されると、前身頃領域１Ｆが着用者の腹部側に配置され、後身頃領域１Ｒが着用者の背部側に配置され、左下肢開
口部２Ｌと右下肢開口部２Ｒが着用者の大腿部を取り巻く状態で着用者の身体に固定される。おむつ１がこのような形態で着用者の身体に固定されるので、着用者はおむつ１を着用した状態で立ち歩き可能である。
【００１８】
おむつ１には、液体を吸収して保持することができる吸収体が主に股下領域１Ｂ付近を中心に配置されている。また、おむつ１には、おむつ１と着用者の肌との間に液体の流出経路となる隙間が形成されるのを抑制するべく、着用者の左下肢の大腿部を取り巻く左下肢開口部２Ｌに立体ギャザー３ＢＬが設けられ、着用者の右下肢の大腿部を取り巻く右下肢開口部２Ｒに立体ギャザー３ＢＲが設けられ、着用者の腹囲を取り巻く部位にウェストギャザー３Ｒが設けられている。立体ギャザー３ＢＬ，３ＢＲとウェストギャザー３Ｒは、糸ゴムの弾性力で着用者の肌に密着する。よって、着用者の陰部から排出される排泄液は、おむつ１から殆ど漏出することなくおむつ１の吸収体に吸収される。
【００１９】
図２は、実施形態に係るおむつ１の分解斜視図である。また、図３は、実施形態に係るおむつ１を展開し、伸長した状態を模式的に示した図である。図３（Ａ）は、展開及び伸長した状態のおむつ１を左側から見た場合の内部構造を模式的に示している。図３（Ｂ）は、展開及び伸長した状態のおむつ１の平面図を模式的に示している。
【００２０】
おむつ１は、着用者に着用された状態において外表面を形成するカバーシート４Ｆ，４Ｒとパッドカバーシート６とを有する。カバーシート４Ｆは、主におむつ１の前身頃領域１Ｆの外表面を形成する。また、パッドカバーシート６は、主におむつ１の股下領域１Ｂの外表面を形成する。また、カバーシート４Ｒは、主におむつ１の後身頃領域１Ｒの外表面を形成する。カバーシート４Ｆ，４Ｒとパッドカバーシート６は、おむつ１の外表面の補強や手触りの向上のために設けられ、例えば、排泄物の漏れを抑制するために、液不透過性の熱可塑性樹脂からなる不織布をその材料として用いることができる。ここで、液不透過性の熱可塑性樹脂としては、ポリエチレン（ＰＥ）やポリプロピレン（ＰＰ）等が例示できる。
【００２１】
また、おむつ１は、カバーシート４Ｆの着用者側の面（着用者の肌側面）に積層されるインナーカバーシート５Ｆと、カバーシート４Ｆの着用者側の面に積層されるインナーカバーシート５Ｒとを有する。インナーカバーシート５Ｆは、カバーシート４Ｆのうち後述する折り返し線４Ｆ６よりも股下領域１Ｂ側の部分に一致する形状を有するシート状の部材である。インナーカバーシート５Ｒもインナーカバーシート５Ｆと同様、カバーシート４Ｒのうち後述する折り返し線４Ｒ６よりも股下領域１Ｂ側の部分に一致する形状を有するシート状の部材である。
【００２２】
また、おむつ１は、パッドカバーシート６の着用者側の面において順に積層されるバックシート７、吸収体８、センターシート９を有する。パッドカバーシート６は、着用者の前身頃から股下を経由して後身頃へ届く長さを長手方向に有し、当該長手方向に対し直交する幅方向に所定の横幅を有する略長方形のシートである。また、バックシート７、吸収体８、センターシート９は、何れもパッドカバーシート６と同様に略長方形の外観を有するシート状の部材であり、長手方向がパッドカバーシート６の長手方向と一致する状態でパッドカバーシート６に対して順に積層されている。バックシート７は、排泄物の漏れを抑制するために液不透過性の熱可塑性樹脂を材料として形成されたシートである。また、センターシート９は、吸収体８の吸水面を被覆するように着用者の肌面側に配置される、シート状の部材である。このセンターシート９は、その一部又は全部において液透過性を有する。そのため、おむつ１が装着された状態において、着用者から排泄された液体は、着用者の肌に接触し得るセンターシート９を通って吸収体８に浸入し、そこで吸収される。液透過性のシートとしては、例えば、織布、不織布、多孔質フィルムが挙げられる。また、センターシート９は親水性を有していてもよい。
【００２３】
吸収体８は、パルプ繊維、レーヨン繊維、またはコットン繊維のようなセルロース系繊維の短繊維や、ポリエチレン、ポリプロピレン、またはポリエチレンテレフタレート等の合成繊維に親水化処理を施した短繊維の隙間に、水を吸収し保持することのできる架橋構造を持つ親水性の高吸収性重合体等の粒状の吸収性樹脂を保持させた構造を有する。よって、吸収体８は、着用者から排泄された液体を吸収すると、短繊維内の隙間に保持された吸収性樹脂を膨潤させて該液体を短繊維内に保持する。吸収体８は、１枚のマットからなる単層構造であってもよいし、複数枚のマットを重ね合わせた積層構造であってもよい。また、吸収体８は、目的に応じた適宜の形状を採ることができる。吸収体８の形状としては、例えば、矩形状、中央部付近が括れた砂時計型、その他各種の形状が挙げられる。
【００２４】
バックシート７、吸収体８、センターシート９は、何れも前身頃領域１Ｆから後身頃領域１Ｒにまで延在する。よって、バックシート７、吸収体８、センターシート９が積層されているパッドカバーシート６で着用者の陰部（股下）を覆うと、バックシート７、吸収体８、センターシート９の各長手方向の両端部は、着用者の腹側と背側に位置する状態となる。すなわち、着用者の陰部は、着用者の腹側から背側まで吸収体８に覆われる状態となる。したがって、着用者が腹を下へ向けた姿勢と背を下へ向けた姿勢の何れの姿勢で液体を体外へ排出しても、排出された液体はセンターシート９を介して吸収体８に接触することになる。
【００２５】
また、おむつ１は、上述した立体ギャザー３ＢＬ，３ＢＲを形成するための細長い帯状のサイドシート１０Ｌ，１０Ｒを有する。サイドシート１０Ｌ，１０Ｒは、センターシート９の長辺の部分に設けられる。そして、サイドシート１０Ｌ，１０Ｒには糸ゴム１０Ｌ１，１０Ｒ１が長手方向に沿って接着されている。よって、サイドシート１０Ｌ，１０Ｒは、前身頃領域１Ｆの左側の縁となるカバーシート４Ｆの縁４Ｆ７と、後身頃領域１Ｒの左側の縁となるカバーシート４Ｒの縁４Ｒ７とが互いに接合され、且つ、前身頃領域１Ｆの右側の縁となるカバーシート４Ｆの縁４Ｆ８と、後身頃領域１Ｒの右側の縁となるカバーシート４Ｒの縁４Ｒ８とが互いに接合されることにより、図１に示したような完成状態のおむつ１になると、糸ゴム１０Ｌ１，１０Ｒ１の収縮力で長手方向に引き寄せられて折り返し線１０Ｌ２，１０Ｒ２に沿ってセンターシート９から立ち上がる。その結果、左下肢開口部２Ｌ及び右下肢開口部２Ｒからの液体の流出を防ぐ立体ギャザー３ＢＬ，３ＢＲが形成される。なお、カバーシート４Ｆにおける縁４Ｆ７及びカバーシート４Ｒにおける縁４Ｒ７、カバーシート４Ｆにおける縁４Ｆ８及びカバーシート４Ｒにおける縁４Ｒ８の接合方法は特に限定されないが、例えば、ヒートシール、高周波シール、超音波シール等によって行うことができる。
【００２６】
また、おむつ１は、パッドカバーシート６、バックシート７、吸収体８、センターシート９、サイドシート１０Ｌ，１０Ｒを挟んでカバーシート４Ｆの着用者側の面に積層される通気路形成シート１１Ｆと、カバーシート４Ｒの着用者側の面に積層される通気路形成シート１１Ｒとを有する。通気路形成シート１１Ｆは、センターシート９の長手方向における一端側においてカバーシート４Ｆに重ねられる。また、通気路形成シート１１Ｒは、センターシート９の長手方向における他端側においてカバーシート４Ｒに重ねられる。なお、本願においてシートが重なる状態とは、重ね合わされるシート同士が互いに全面的に接触する状態で重なる形態に限定されるものでなく、シートの一部分同士が重なる形態を含む概念である。例えば、通気路形成シート１１Ｆは、パッドカバーシート６の長手方向における一端側の一部分が、カバーシート４Ｆの一部分に触れる状態で重ねられる。通気路形成シート１１Ｆには、前身頃領域１Ｆの上側の縁に沿う左右方向に延在する領域に通気用の微細な通気孔が多数配列されている。通気路形成シート１１Ｒにも通気路形成シート１１Ｆと同様、通気孔が多数配列されている。通気孔は、例えば、後述する貫通孔２０Ａである。
【００２７】
上記のように、おむつ１は、吸収体８を間に挟んだバックシート７及びセンターシート９の他、カバーシート４Ｆ，４Ｒ、通気路形成シート１１Ｆ，１１Ｒ、パッドカバーシート６、サイドシート１０Ｌ，１０Ｒが積み重なって形成されているため、これら複数のシートを積み重ねた積層体を有していると言える。
【００２８】
ここで、図３に示すように、カバーシート４Ｆは、折り返し線４Ｆ６において一端側が折り返されている。上述したウェストギャザー３Ｒは、カバーシート４Ｆに対して糸ゴム（糸状のゴム）４Ｆ２，４Ｆ３が接着され、カバーシート４Ｒに対して糸ゴム（糸状のゴム）４Ｒ２，４Ｒ３が接着されることで形成される。カバーシート４Ｆに接着される糸ゴム４Ｆ２，４Ｆ３は、折り返されると前身頃領域１Ｆの上側の縁を形成することになる折り返し線４Ｆ６沿いに、折り返し線４Ｆ６側から糸ゴム４Ｆ２、糸ゴム４Ｆ３の順に設けられている。また、カバーシート４Ｒに接着される糸ゴム４Ｒ２，４Ｒ３も、糸ゴム４Ｆ２，４Ｆ３と同様、折り返されると後身頃領域１Ｒの上側の縁を形成することになる折り返し線４Ｒ６沿いに、折り返し線４Ｒ６側から糸ゴム４Ｒ２、糸ゴム４Ｒ３の順に設けられている。このため、糸ゴム４Ｆ２，４Ｆ３は、伸縮方向となる胴回り方向がおむつ１の左右方向となる向きでカバーシート４Ｆに設けられることになる。また、糸ゴム４Ｒ２，４Ｒ３は、伸縮方向となる長手方向がおむつ１の左右方向となる向きでカバーシート４Ｒに設けられることになる。よって、縁４Ｆ７と縁４Ｒ７が互いに接合され、縁４Ｆ８と縁４Ｒ８が互いに接合されると、糸ゴム４Ｆ２，４Ｆ３と糸ゴム４Ｒ２，４Ｒ３は、胴開口部２Ｔに沿って周回する実質的に環状の伸縮部材を形成し、胴開口部２Ｔを胴周り方向に収縮させる機能を発揮する。すなわち、糸ゴム４Ｆ２，４Ｆ３と糸ゴム４Ｒ２，４Ｒ３は、収縮力を発揮しておむつ１を着用者に密着させ、おむつ１と着用者の腹囲との間に隙間が形成されるのを防ぐ。
【００２９】
更に、カバーシート４Ｆには糸ゴム４Ｆ４，４Ｆ５が接着され、カバーシート４Ｒには糸ゴム４Ｒ４，４Ｒ５が接着されている。糸ゴム４Ｆ４，４Ｆ５は、カバーシート４Ｆのうち糸ゴム４Ｆ３よりも股下領域１Ｂ側の領域に設けられる伸縮部材である。ただし、糸ゴム４Ｆ４，４Ｆ５は、カバーシート４Ｆの左端から右端まで途切れることなく接着される糸ゴム４Ｆ２，４Ｆ３とは異なり、吸収体８に対応する部位となる幅方向中央部が所定の横幅分だけカットされている。カバーシート４Ｆは、吸収体８に対応する部位となる幅方向中央部がカットされた糸ゴム４Ｆ４，４Ｆ５を有することにより、吸水による吸収体８の膨張を阻害することなく、着用者の下腹部に適度な密着感を付与する。カバーシート４Ｒについてもカバーシート４Ｆと同様であり、吸収体８に対応する部位となる幅方向中央部が所定の横幅分だけカットされた糸ゴム４Ｒ４，４Ｒ５がカバーシート４Ｒに接着されることで、着用者の下腹部に適度な密着感を付与する。
【００３０】
糸ゴム４Ｆ２は、図１に示した前身頃領域１Ｆの上側の縁となる部分に沿って左右方向に延在するように設けられている。糸ゴム４Ｆ２は、所定の間隔を空けて３本平行に設けられている。そして、糸ゴム４Ｆ３は、３本ある糸ゴム４Ｆ２の隣で糸ゴム４Ｆ２と同様に左右方向に延在するように複数本設けられている。糸ゴム４Ｆ３は、おむつ１が着用された状態において、着用者の骨盤の左右両端部が位置する部位の付近に位置することで、おむつ１を着用者の腰に保持させる機能を主に担う。また、糸ゴム４Ｆ２は、おむつ１が着用された状態において、着用者の腹囲を糸ゴム４Ｆ３よりも上側で包囲することにより、おむつ１から液体が漏出するのを防ぐ機能や、糸ゴム４Ｆ３の収縮力に起因する着用者への圧迫感を緩和する機能、おむつ１内の湿気を排出する機能を担う。なお、糸ゴム４Ｆ４と糸ゴム４Ｆ５は、図３に示されるように、糸ゴム４Ｆ３の隣で糸ゴム４Ｆ３と同様に左右方向に延在するように複数本設けられている。そして、上述したように、糸ゴム４Ｆ４，４Ｆ５は、吸収体８に対応する部位がカットされている。
【００３１】
図４は、前身頃領域１Ｆにおいて、糸ゴム４Ｆ２同士の間隔とウェストギャザー３Ｒに現れる通気路の大きさとの関係を示した図である。図４（Ａ）で示される図は、ウェストギャザー３Ｒを着用者の肌が触れる方から見た場合の図である。また、図４（Ｂ）で示される図は、おむつ１の側方から見た場合のウェストギャザー３Ｒ内の内部構造を示した図である。また、図４（Ｃ）で示される図は、おむつ１の上方からウェストギャザー３Ｒを見た場合の様子を示した図である。また、図４（Ｄ）で示される図は、ウェストギャザー３Ｒが収縮した状態における、おむつ１の上方からウェストギャザー３Ｒを見た場合の状態を示した図である。図４では、説明の便宜上、ウェストギャザー３Ｒのうち前身頃領域１Ｆが図示されているが、ウェストギャザー３Ｒのうち後身頃領域１Ｒの部分についても同様である。
【００３２】
図４に示されるように、カバーシート４Ｆは、図２に示した折り返し線４Ｆ６で折り返され、更に通気路形成シート１１Ｆが重ねられて接合される。接合は、各糸ゴムとシートが伸長された状態で行われる。図４（Ａ）で示される図にある符号Ｓの破線は、接合された部分である。また、図４（Ｃ）および図４（Ｄ）で示される図にある符号Ｓの箇所は、接合された部分である。
【００３３】
折り返し線４Ｆ６においてカバーシート４Ｆが折り返された状態でカバーシート４Ｆと通気路形成シート１１Ｆとを接合する接合部分Ｓは、図４（Ａ）で示される図を見ると判るように、図１に示した前身頃領域１Ｆの上側の縁に対し直角の方向に延在する直線状の形態となっている。接合部分Ｓは、平行に複数設けられており、更に各間隔が大小交互となるように設けられている。よって、接合部分Ｓは、図４を見ると判るように、二重線が等間隔で並ぶような形態となっている。接合部分Ｓによって構成される二重線が等間隔で並ぶような形態を採ることにより、図４（Ｄ）で示されるように、収縮後のウェストギャザー３Ｒに第１通気路１２と第２通気路１３が交互に形成される。これは、接合が各糸ゴムとシートを伸長した状態で行われ、その後に伸長状態が解かれてウェストギャザー３Ｒが糸ゴム４Ｆ２の収縮力で縮むと、二重線を構成する２つの接合部分Ｓの間という間隔の狭い部分でシートの撓みにより相対的に小さい第１通気路１２が形成され、二重線同士の間という間隔の広い部分ではシートの撓みにより相対的に大きい第２通気路１３が形成されるためである。
【００３４】
二重線が等間隔で並ぶような形態の接合部分Ｓが形成されることにより、収縮後のウェストギャザー３Ｒにはシートの撓みにより形成される第１通気路１２と第２通気路１３が大小交互に波型で形成される。図４（Ｄ）に二点鎖線で示す符号ＳＳは、おむつ１を着用者が着用した場合に、通気路形成シート１１Ｆに当接する肌面を仮想線として示したものである。第２通気路１３は、おむつ１を着用者が装着した際に、通気路形成シート１１Ｆの肌当接面と着用者の肌との間に形成される隙間として形成される。おむつ１と着用者の肌面との間における湿気は、ウェストギャザー３Ｒに形成される第１通気路１２、第２通気路１３を通じて外部に排出することができる。これにより、おむつ１は、着用者の蒸れ感を抑制できる。また、おむつ１は、通気路形成シート１１Ｒが配置されるウェストギャザー３Ｒの後身頃領域１Ｒにおいても同様の通気路を備えているので、おむつ１は、ウェストギャザー３Ｒの後身頃領域１Ｒにおいても同様の効果を得ることができる。
【００３５】
次に、カバーシート４Ｆ，４Ｒ、インナーカバーシート５Ｆ，５Ｒ、パッドカバーシート６、通気路形成シート１１Ｆ，１１Ｒに用いることができる不織布について説明する。図５（Ａ）は、カバーシート４Ｆ，４Ｒ、インナーカバーシート５Ｆ，５Ｒ、パッドカバーシート６、通気路形成シート１１Ｆ，１１Ｒに用いることができる不織布２０，２１の平面図である。不織布２１は不織布２０に重ねられており、不織布２０及び不織布２１は、長手方向と幅方向が一致して同じ大きさを有している。例えば、不織布２０，２１を重ね合わせたシート部材をカバーシート４Ｆ，４Ｒ、インナーカバーシート５Ｆ，５Ｒ、パ
ッドカバーシート６、通気路形成シート１１Ｆ，１１Ｒに用いてもよい。この場合、当該シート部材は、これらのシートに合わせた寸法及び形状に裁断される。また、完成状態のおむつ１において、重なる２つシートの一方に不織布２０を用い、他方のシートに不織布２１を用いてもよい。例えば、通気路形成シート１１Ｆに不織布２０を用い、インナーカバーシート５Ｆやカバーシート４Ｆに不織布２１を用いてもよい。
【００３６】
図５（Ａ）に示すように、不織布２０には、貫通孔２０Ａが複数形成されている。貫通孔２０Ａは、不織布２０の一方の面側と他方の面側を貫通して形成されている。貫通孔２０Ａは、通気用の孔（通気孔）であり、おむつ１内の蒸れを抑制するために設けられている。実施形態においては、貫通孔２０Ａは、円形状に形成されている。また、貫通孔２０Ａの直径は、１ｍｍ〜１．５ｍｍ程度である。なお、貫通孔２０Ａの形状は円形状に限られず、貫通孔２０Ａの形状は、例えば、楕円形、多角形（三角形、四角形等）等であってもよい。貫通孔２０Ａの大きさや個数は特に限定されないが、例えば、開口面積が０．５〜１０ｍｍ２の孔であれば５〜２００個程度が不織布２０に形成されることが好ましい。
【００３７】
不織布２０の長手方向に見て、貫通孔２０Ａは一列に並んで複数形成されている。また、不織布２０の幅方向に見て、貫通孔２０Ａは互い違いに並んでいる。複数の貫通孔２０Ａは、全体として千鳥状に配列されている。なお、複数の貫通孔２０Ａは、全体としてマトリクス状に配列されていてもよい。
【００３８】
図５（Ｂ）は、図５（Ａ）の点線で囲んだ領域Ａを拡大して示す図である。貫通孔２０Ａは、不織布２０の長手方向に並んで複数形成されている。また、不織布２１の不織布２０に対向する面側には、不織布２０，２１の長手方向に所定幅で延び、ホットメルトが塗布された接合領域２１Ａが形成されている。接合領域２１Ａの長手方向中心は、不織布２０の幅方向における貫通孔２０Ａの外縁部に接している。なお、接合領域２１Ａは、複数の貫通孔２０Ａが並ぶ方向に延びるように設けられる。例えば、複数の貫通孔２０Ａが不織布２０，２１の幅方向に並んで形成されている場合には、接合領域２１Ａは、不織布２０，２１の幅方向に所定幅で延びるように形成されていてもよい。
【００３９】
接合領域２１Ａには、貫通孔２０Ａの外縁部２０Ｂが接合される。図５（Ｂ）において、外縁部２０Ｂを点線の円で囲んで示している。外縁部２０Ｂは、貫通孔２０Ａを一周囲んでいる。外縁部２０Ｂは、不織布２１側に向かって突出しており、外縁部２０Ｂの一部が接合領域２１Ａに接合されている。不織布２０，２１は、不織布２０の長手方向に並ぶ複数の貫通孔２０Ａと接合領域２１Ａとの位置が合うように、より具体的には、外縁部２０Ｂと接合領域２１Ａとが重なるように、重ね合わされる。これにより、外縁部２０Ｂは、接合領域２１Ａに接合される。不織布２０，２１を合わせた際に、各外縁部２０Ｂの少なくとも一部と重なり、各外縁部２０Ｂの少なくとも一部と接合領域２１Ａとが重なって外縁部２０Ｂが接合領域２１Ａに接合される。なお、接合領域２１Ａの所定幅は、外縁部２０Ｂの幅以上とするのが好ましい。
【００４０】
図５（Ｃ）は、図５（Ｂ）中のＢ−Ｂ線で不織布２０，２１を切断した断面図である。Ｂ−Ｂ線は、不織布２０，２１の表面を直交する方向（厚さ方向）にみて、貫通孔２０Ａの中心及び当該貫通孔２０Ａの外縁部２０Ｂが接合される２本の接合領域２１Ａを通る線である。図５（Ｃ）に示す断面図は、当該貫通孔２０Ａと２本の接合領域２１Ａを含んでいる。
【００４１】
図５（Ｃ）に示すように、貫通孔２０Ａの外縁部２０Ｂは、不織布２１側に向かって突出しており、外縁部２０Ｂの一部が接合領域２１Ａに接合されている。実施形態では、外縁部２０Ｂの先端が接合領域２１Ａに接合されている。なお、不織布２１において、貫通孔２０Ａと重なる領域２１Ｂに切り込みを形成することで、通気性をより向上することが
できる。
【００４２】
貫通孔２０Ａは、穿孔針を所定温度以上に加熱し、貫通孔を形成する際に不織布２０に含まれる熱可塑性樹脂材料を加熱変形させて、貫通孔の形状を維持するための熱処理が施される。熱処理された貫通孔２０Ａ周囲の外縁部２０Ｂは硬くなってしまうが、外縁部２０Ｂの一部は不織布２１の接合領域２１Ａに接合されている。また、おむつ１において、不織布２０は、不織布２１よりも、着用状態における着用者の肌側に配置される。外縁部２０Ｂの少なくとも一部を不織布２１に接合して固定することによって、外縁部２０Ｂが着用者の肌に触れることを防ぎ、着用感が低下することを防ぐことができる。
【００４３】
なお、おむつ１は、不織布２０，２１を有するシート部材を備え、当該シート部材は、前身頃領域１Ｆ又は後身頃領域１Ｒの少なくとも何れかに配置されていてもよい。例えば、当該シート部材が、ウェストギャザー３Ｒに配置される通気路形成シート１１Ｆ、１１Ｒに用いられてもよい。これにより、通気路形成シート１１Ｆ、Ｒに貫通孔２０Ａによる通気性を確保し、図４（Ｄ）に示す第１通気路１２に貫通孔２０Ａを通じて湿気をより導入し易くすることができる。
【００４４】
また、おむつ１は、不織布２０，２１を重ねることで、不織布２０，２１が配置される領域を嵩高にすることができ、クッション性を向上させることができる。また、不織布２０，２１を位置合わせして重ね合わせた際に、図５（Ｃ）に示す領域２１Ｂ内にはホットメルトが塗布された接合領域２１Ａが存在しない方が好ましい。これは、ホットメルトが固まって着用者の肌に直接又は間接的に接触すると着用感が低下してしまう虞があるためである。ホットメルトが塗布された接合領域２１Ａの面積を必要最小限にするため、不織布２０，２１を重ね合わせた際に、接合領域２１Ａは外縁部２０Ｂと重なる領域に設けられていることが好ましい。これにより、おむつ１の着用感の低下を防ぐことができる。
【００４５】
なお、上記実施形態では、おむつ１が例示されていたが、その他の形態の吸収性物品においても上記構成や製造方法を適用可能である。上記構成や製造方法を適用可能な吸収性物品としては、例えば、パンツ型の使い捨ておむつ、テープ型の使い捨ておむつ、尿パッド、軽失禁パッドといったギャザー付きの各種形態の吸収性物品や、ギャザーの無いフラットな吸収性物品を挙げることができる。
【符号の説明】
【００４６】
１・・おむつ：１Ｂ・・股下領域：１Ｆ・・前身頃領域：１Ｒ・・後身頃領域：２Ｔ・・胴開口部：２Ｌ・・左下肢開口部：２Ｒ・・右下肢開口部：３ＢＬ，３ＢＲ・・立体ギャザー：３Ｒ・・ウェストギャザー：４Ｆ，４Ｒ・・カバーシート：４Ｆ１，４Ｒ１・・開口：４Ｆ２，４Ｆ３，４Ｆ４，４Ｆ５，４Ｒ２，４Ｒ３，４Ｒ４，４Ｒ５，１０Ｌ１，１０Ｒ１・・糸ゴム：４Ｆ６，４Ｒ６，１０Ｌ２，１０Ｒ２・・折り返し線：４Ｆ７，４Ｆ８，４Ｒ７，４Ｒ８・・縁：５Ｆ，５Ｒ・・インナーカバーシート：６・・パッドカバーシート：７・・バックシート：８・・吸収体：９・・センターシート：１０Ｌ，１０Ｒ・・サイドシート：１１Ｆ，１１Ｒ・・通気路形成シート：Ｓ・・接合部分：１２・・第１通気路：１３・・第２通気路：２０，２１・・不織布：２０Ａ・・貫通孔：２０Ｂ・・外縁部：２１Ａ・・接合領域：２１・・領域
【図１】
2020092896.tif 000003
【図２】
2020092896.tif 000004
【図３】
2020092896.tif 000005
【図４】
2020092896.tif 000006
【図５】
2020092896.tif 000007